(57)【要約】【課題】取付作業が容易な床下支持部材を提供する。【解決手段】床下支持部材１は、基礎１２と土台１３との間に設置された基礎パッキン１４に対して床下部材１５が配置される床下側に配置される。床下支持部材１は、床下部材１５を下方から支持する支持面６を有する支持部本体２と、支持部本体２の側面に形成され、基礎パッキン１４に係合することで取り付け可能な取付部３とを含んでいる。【選択図】図２
2020190182.tif 000002
【特許請求の範囲】
【請求項１】
床下部材を下方から支持するための床下支持部材であって、
前記床下部材が配置される床下側に配置され、前記床下部材を下方から支持する支持面を有する支持部本体と、
前記支持部本体に形成され、基礎と土台との間に設置された基礎パッキン又は前記基礎パッキン間に取付可能な取付部とを備えていることを特徴とする床下支持部材。
【請求項２】
前記取付部は、前記支持部本体の一側面から突出して形成され、前記基礎パッキンの側面に形成された開口部もしくは凹部、又は前記基礎パッキン間に挿入されることで取付可能に構成された挿入部を有していることを特徴とする請求項１に記載の床下支持部材。
【請求項３】
前記取付部は、前記支持部本体の前記一側面以外の他の側面又は前記支持面と対向する下面から突出して形成され、前記基礎パッキンの側面に形成された開口部もしくは凹部、又は前記基礎パッキン間に挿入されることで取付可能に構成された別の挿入部をさらに有しており、
これら前記挿入部の突出長が互いに異なっていることを特徴とする請求項２に記載の床下支持部材。
【請求項４】
前記取付部は、前記支持部本体の前記支持面と対向する下面から突出して形成され、前記基礎パッキンの側面に形成された開口部もしくは凹部、又は前記基礎パッキン間に挿入されることで取付可能に構成された別の挿入部をさらに有しており、
前記支持部本体は、前記一側面と前記一側面と対向する他の側面との間の幅と、前記支持面と前記下面との間の幅とが互いに異なるように構成されていることを特徴とする請求項２に記載の床下支持部材。
【請求項５】
前記取付部は、前記挿入部の少なくとも一部を前記支持部本体から折断可能な括れ部を有していることを特徴とする請求項２〜４のいずれか１項に記載の床下支持部材。
【請求項６】
前記取付部は、前記挿入部を複数有しており、
複数の前記挿入部は、前記挿入部の前記一側面からの突出方向と直交する水平方向において並設されていることを特徴とする請求項５に記載の床下支持部材。
【請求項７】
前記支持部本体の前記支持面と対向する下面は、前記一側面と対向する他の側面に近づくに連れて上方に傾斜する傾斜部を有していることを特徴とする請求項２〜６のいずれか１項に記載の床下支持部材。
【請求項８】
前記支持部本体の前記支持面と対向する下面の一部又は全部は、前記取付部を前記基礎パッキン又は前記基礎パッキン間に取り付けたときに、前記基礎上に配置可能に形成されていることを特徴とする請求項１〜７のいずれか１項に記載の床下支持部材。
【請求項９】
前記支持面は、前記取付部を前記基礎パッキン又は前記基礎パッキン間に取り付けたときに、前記土台の下面よりも上方に位置するように形成されていることを特徴とする請求項１〜８のいずれか１項に記載の床下支持部材。
【請求項１０】
前記支持部本体は、前記取付部が形成されたベース部と、前記ベース部上において前記ベース部に対して変位可能に配置された、前記支持面を有する高さ調整部とを有していることを特徴とする請求項９に記載の床下支持部材。
【請求項１１】
前記高さ調整部は、前記ベース部に対して着脱可能に構成されていることを特徴とする請求項１０に記載の床下支持部材。
【請求項１２】
床下部材を下方から支持するための床下支持部材であって、前記床下部材が配置される床下側に配置され、前記床下部材を下方から支持する支持面を有する支持部本体と、前記支持部本体に形成され、基礎と土台との間に設置された基礎パッキン又は前記基礎パッキン間に取付可能な取付部とを備えている床下支持部材の前記支持面の高さを高くするために前記支持部本体と前記基礎との間に介在させて用いられることを特徴とする床下支持部材の高さ調整用スペーサ。
【発明の詳細な説明】
【技術分野】
【０００１】
本発明は、例えば大引き、床下断熱ボード等の床下部材の端部を下方から支持するために、基礎と土台との間に設置された基礎パッキン又は基礎パッキン間に取付けられて用いられる床下支持部材及びその高さ調整用スペーサに関する。
【背景技術】
【０００２】
特許文献１には、大引梁（床下部材）を受けるための大引梁受け金物について記載されている。この大引梁受け金物は、土台としての横架材に複数の釘などの連結具により固定される。こうして固定された大引梁受け金物に、大引梁の端部が嵌合され、大引梁が大引梁受け金物によって支持される。
【先行技術文献】
【特許文献】
【０００３】
【特許文献１】実用新案登録第３１８１１０５号公報
【発明の概要】
【発明が解決しようとする課題】
【０００４】
しかしながら、上記特許文献１に記載の大引梁受け金物においては、複数の釘などの連結具によって土台に取り付ける取付作業が生じる。この取付作業は、比較的狭い空間で行う必要があるにもかかわらず、位置合わせしつつ取り付ける必要があるために、難しく煩わしいといった問題がある。
【０００５】
そこで、本発明の目的は、取付作業が容易な床下支持部材及びその高さ調整用スペーサを提供することである。
【課題を解決するための手段】
【０００６】
本発明の床下支持部材は、床下部材を下方から支持するための床下支持部材であって、前記床下部材が配置される床下側に配置され、前記床下部材を下方から支持する支持面を有する支持部本体と、前記支持部本体に形成され、基礎と土台との間に設置された基礎パッキン又は前記基礎パッキン間に取付可能な取付部とを備えている。
【０００７】
これによると、釘等の連結具を使用せずに、取付部を基礎パッキン又は基礎パッキン間に取り付けることが可能となる。このため、床下支持部材の取付作業が容易になる。本発明において、支持部本体は、取付部と一体的に形成されていても、取付部と別体とされてもよく、また、１部材から形成されても、２以上の部材を幅方向に連結及び／又は高さ方向に積層して形成されてもよい。なお、本発明の床下支持部材により支持可能な床下部材としては、基礎の床下側に接近又は接して設置される、例えば、床下断熱ボード、大引き等の床下設置部材を広く挙げることができる。
【０００８】
本発明において、前記取付部は、前記支持部本体の一側面から突出して形成され、前記基礎パッキンの側面に形成された開口部もしくは凹部、又は前記基礎パッキン間に挿入されることで取付可能に構成された挿入部を有していることが好ましい。これにより、簡単な構成で床下支持部材を取り付けることが可能となる。なお、前記開口部や凹部としては、例えば、床下換気のための通気孔を有する換気タイプの基礎パッキンの通気孔、通気孔を有さない非換気タイプの基礎パッキンの側面に形成された凹部等を挙げることができる。
【０００９】
また、本発明において、前記取付部は、前記支持部本体の前記一側面以外の他の側面又は前記支持面と対向する下面から突出して形成され、前記基礎パッキンの側面に形成された開口部もしくは凹部、又は前記基礎パッキン間に挿入されることで取付可能に構成された別の挿入部をさらに有しており、これら前記挿入部の突出長が互いに異なっていることが好ましい。これにより、基礎パッキンの種類に応じて側面に形成された開口部又は凹部の深さが異なるものであっても効果的に取り付けることが可能となる。
【００１０】
また、本発明において、前記取付部は、前記支持部本体の前記支持面と対向する下面から突出して形成され、前記基礎パッキンの側面に形成された開口部もしくは凹部、又は前記基礎パッキン間に挿入されることで取付可能に構成された別の挿入部をさらに有しており、前記支持部本体は、前記一側面と前記一側面と対向する他の側面との間の幅と、前記支持面と前記下面との間の幅とが互いに異なるように構成されていることが好ましい。これにより、床下支持部材を、一側面に形成された挿入部を用いて取り付けるときと、下面に形成された挿入部を用いて取り付けるときとで、床下部材を支持する支持高さを異ならせることが可能となる。また、床下支持部材で大引き等の床下部材を支持する位置を基礎パッキンの上面よりも高い位置で受けることも可能となる。この場合、床下部材の寸法を小さくでき、床下部材のコストを低減することが可能となる。
【００１１】
また、本発明において、前記取付部は、前記挿入部の少なくとも一部を前記支持部本体から折断可能な括れ部を有していることが好ましい。これにより、挿入部の長さを変更することや、不要な挿入部を取り除くことが可能となる。
【００１２】
また、本発明において、前記取付部は、前記挿入部を複数有しており、複数の前記挿入部は、前記挿入部の前記一側面からの突出方向と直交する水平方向において並設されていることが好ましい。これにより、基礎パッキンの長さ方向において、挿入部を挿入するための開口部等のピッチがずれても、一部の挿入部を取り除くことで、挿入位置を調整しやすくなる。
【００１３】
また、本発明において、前記支持部本体の前記支持面と対向する下面は、前記一側面と対向する他の側面に近づくに連れて上方に傾斜する傾斜部を有していることが好ましい。これにより、支持部本体を基礎の上面に配置したときに、基礎の上面端部にバリが残存していても、バリが支持部本体の下面に干渉するのを抑制することが可能となる。このため、床下支持部材を精度よく配置することが可能となる。
【００１４】
また、本発明において、前記支持部本体の前記支持面と対向する下面の一部又は全部は、前記取付部を前記基礎パッキン又は前記基礎パッキン間に取り付けたときに、前記基礎上に配置可能に形成されていることが好ましい。これにより、床下支持部材を安定して配置させることが可能となるとともに、基礎の上面で支持面を直接的又は間接的に支持することができて、支持面上に床下部材を安定して載置することができる。
【００１５】
また、本発明において、前記支持面は、前記取付部を前記基礎パッキン又は前記基礎パッキン間に取り付けたときに、前記土台の下面よりも上方に位置するように形成されていることが好ましい。これにより、土台よりも小さいサイズの大引き等の床下部材を支持することが可能となる。このため、必要以上に大きなサイズの床下部材の使用を控えることが可能となって、省資源化を図ることができる。
【００１６】
また、本発明において、前記支持部本体は、前記取付部が形成されたベース部と、前記ベース部上において前記ベース部に対して変位可能に配置された、前記支持面を有する高さ調整部とを有していることが好ましい。これにより、高さ調整部を床下部材の真下に位置させるなど適切な位置に調整して配置することができる。例えば、ベース部を取り付けた後に、高さ調整部を水平方向に変位（移動）させて配置することが可能となる。このため、床下部材を支持しやすくなる。
【００１７】
また、本発明において、前記高さ調整部は、前記ベース部に対して着脱可能に構成されていることが好ましい。これにより、高さ調整部をベース部に対して着脱させることで、支持面の高さ位置を可変とでき、高さ（上下）方向のサイズが異なる複数種類の床下部材に対応することが可能となる。
【００１８】
また、本発明の床下支持部材の高さ調整用スペーサは、床下部材を下方から支持するための床下支持部材であって、前記床下部材が配置される床下側に配置され、前記床下部材を下方から支持する支持面を有する支持部本体と、前記支持部本体に形成され、基礎と土台との間に設置された基礎パッキン又は前記基礎パッキン間に取付可能な取付部とを備えている床下支持部材の前記支持面の高さを高くするために前記支持部本体と前記基礎との間に介在させて用いられる。これにより、床下支持部材の支持面の高さを調整することが可能となる。
【発明の効果】
【００１９】
本発明の床下支持部材によると、釘等の連結具を使用せずに、取付部を基礎パッキン又は基礎パッキン間に取り付けることが可能となる。このため、床下支持部材の取付作業が容易になる。
本発明の床下支持部材の高さ調整用スペーサによると、床下支持部材の支持面の高さを調整することが可能となる。
【図面の簡単な説明】
【００２０】
【図１】本発明の一実施形態に係る床下支持部材が採用された建物の概略斜視図である。
【図２】図１に示すII−II線に沿った部分断面図である。
【図３】図１に示すIII−III線に沿った部分断面図である。
【図４】床下支持部材の斜視図である。
【図５】床下支持部材の構成要素を示しており、（ａ）はベース部の斜視図であり、（ｂ）は高さ調整部の下方斜視図である
【図６】床下支持部材の上面図である。
【図７】高さ調整部をベース部に対して水平方向に移動させたときの状況を示す図である。
【図８】第１変形例に係る基礎パッキン及び床下支持部材を示しており、（ａ）は基礎の上に設置された基礎パッキンの平面図であり、（ｂ）は床下支持部材の上面図である。
【図９】第２変形例に係る床下支持部材が基礎パッキン間に取り付けられたときの様子を示した部分断面図である。
【図１０】第３変形例に係る床下支持部材及び調整用スペーサが採用された建物の部分断面図である。
【図１１】（ａ）は図１０に示す床下支持部材を一側面側から見たときの斜視図であり、（ｂ）は図１０に示す床下支持部材を一側面と幅方向に対向する他の側面から見たときの斜視図である。
【図１２】図１０に示す床下支持部材の側面図である。
【図１３】図１０に示す床下支持部材の平面図である。
【図１４】図１０に示す調整用スペーサの斜視図である。
【図１５】第３変形例に係る床下支持部材を別の基礎パッキンに取り付けたときの平面図である。
【図１６】第３変形例に係る床下支持部材をさらに別の基礎パッキンに取り付けたときの平面図である。
【図１７】第４変形例に係る床下支持部材の側面図である。
【図１８】第４変形例に係る床下支持部材の平面図である。
【図１９】第４変形例に係る床下支持部材が採用された建物の部分断面図であり、（ａ）は第１の挿入部を基礎パッキンに挿入して取り付けた状態を示し、（ｂ）は第２の挿入部を基礎パッキンに挿入して取り付けた状態を示す。
【発明を実施するための形態】
【００２１】
以下、本発明の一実施形態に係る床下支持部材１が採用された建物１０について、図１〜図３を参照しつつ以下に説明する。
【００２２】
建物１０は、図１に示すように、図中二点鎖線で示す建造物１１と、建造物１１を支持する基礎１２と、基礎１２の上に設置された土台１３と、基礎１２と土台１３との間に設置された基礎パッキン１４と、土台１３に取り付けられた大引き（床下部材）１５とを有する。基礎１２は地面から上方に立ち上がって形成されている。基礎パッキン１４は基礎１２上全体に設置され、土台１３は基礎パッキン１４を介して基礎１２上全体に設置されている。大引き１５は、図２に示すように、土台１３の床下側（内側）の側面に取り付けられており、土台１３の延在方向（長手方向Ａ）と直交する幅方向Ｂに延びている。図２に示す長手方向Ａ，幅方向Ｂ、及び、鉛直方向Ｃを、説明の便宜上、図３〜図７にも反映して示す。
【００２３】
基礎１２、土台１３及び基礎パッキン１４は、図２に示すように、紙面垂直方向に長手方向Ａを有するように形成されている。基礎パッキン１４は、その下面１４ａが基礎１２の上面１２ａと密着し、その上面１４ｂが土台１３の下面１３ａと密着して配置されている。また、基礎１２の上面１２ａは、幅方向Ｂの長さが、基礎パッキン１４の幅方向Ｂの長さよりも大きい。そして、基礎パッキン１４は、基礎１２の上面１２ａの床下側（図２中左側であって、床下部材である大引き１５が配置される側）の端部が基礎パッキン１４よりも床下側に存在するように、上面１２ａ上に配置されている。
【００２４】
基礎パッキン１４には、図２及び図３に示すように、幅方向Ｂに貫通する通気孔（開口部）１６が長手方向Ａに沿って複数形成されている。これら複数の通気孔１６が形成されていることで、床下部分と外部とを連通させることが可能となり、床下換気が可能となる。また、基礎パッキン１４には、図２に示すように、鉛直方向Ｃに貫通した貫通孔１４ｃが長手方向Ａに沿って互いに離隔して複数形成されている。これら複数の貫通孔１４ｃは、基礎パッキン１４の幅方向Ｂの中央に形成されており、図示しないアンカーボルトを挿通するためのものである。また、各貫通孔１４ｃは、基礎パッキン１４の幅方向Ｂの中央において、複数の通気孔１６に跨って形成されており、複数の通気孔１６と連通している。また、複数の通気孔１６のうちのいずれかの通気孔１６に、後述する床下支持部材１の取付部３が挿入されて係合されることで、基礎パッキン１４に床下支持部材１が取り付けられる。そして、大引き１５の下面１５ａは、図２に示すように、床下支持部材１によって支持されている。また、大引き１５は、先端面を土台１３の床下側の側面に当接させた状態で土台１３に固定される。このとき、大引き１５の上面１５ｂは土台１３の上面１３ｂと同一平面上に位置するように配置される。
【００２５】
続いて、床下支持部材１について、図４〜図７を参照しつつ以下に説明する。床下支持部材１は、合成樹脂から構成されており、大引き１５を下方から支持する支持部本体２と、基礎パッキン１４に取付可能な取付部３とを含んでいる。
【００２６】
支持部本体２は、図２に示すように、基礎１２の上面１２ａ上であって、基礎パッキン１４よりも床下側に配置されている。また、支持部本体２は、図４に示すように、ベース部２ａと、ベース部２ａの上面２ａ１においてベース部２ａと着脱可能な高さ調整部２ｂとから構成されている。ベース部２ａは、長手方向Ａに沿って長尺な略直方体形状を有している。ベース部２ａには、後述する取付部３が形成された側の側面（一側面）２０ａと当該側面２０ａと対向する側の側面２０ｂ、すなわち、長手方向Ａと平行な両側面２０ａ，２０ｂを幅方向Ｂに沿って貫通する４つの貫通孔４が、長手方向Ａに沿って並んで形成されている。これら貫通孔４は、鉛直方向Ｃにおいて、ベース部２ａの中央から下端にかけて形成されており、下方に向かっても開口している。このような貫通孔４がベース部２ａに形成されていることで、床下支持部材１を基礎パッキン１４に取り付けたときに、貫通孔４と基礎パッキン１４に形成された通気孔１６とが連通可能となる。このため、基礎パッキン１４に床下支持部材１を取り付けた場合でも、基礎１２と土台１３との間の通気性能の低下を抑制することが可能となる。また、図５（ａ）に示すように、ベース部２ａの上面２ａ１の中心部には、鉛直方向Ｃに沿って上方に延びる楕円形状の筒状部５が形成されている。筒状部５の側面のうちの長手方向Ａの両端部を除く床下側側面及び外装側側面には、複数の突起２１が形成されている。これら突起２１は、鉛直方向Ｃに沿って延在し、側面に沿って並んで配置されている。
【００２７】
高さ調整部２ｂは、図５（ｂ）に示すように、大引き１５を下方から支持する支持面６（図４参照）を構成する天板２３と、天板２３の幅方向Ｂの両端から下方に突出して形成された２つの壁部２４と、２つの壁部２４をつなぐ２つの繋ぎ部２５とを含む。天板２３の中心には、鉛直方向Ｃに沿って天板２３を貫通する孔７が形成されている。孔７は、天板２３の下側において、上方から下方にかけてすり鉢状に拡大している。各壁部２４は、長手方向Ａに沿って延在しており、その長手方向Ａに沿った長さは天板２３の長手方向Ａに沿った長さより小さい。２つの繋ぎ部２５は、２つの壁部２４の互いに対向する長手方向Ａの端部同士をつなぐように、２つの壁部２４間に配置されている。また、繋ぎ部２５は、鉛直方向Ｃにおいて、壁部２４より短く、２つの壁部２４の上部同士をつないでいる。壁部２４の内面には、複数の突起２２が形成されている。これら突起２２は、壁部２４の鉛直方向Ｃの上端から下端にかけて形成されており、長手方向Ａに沿って並んで配置されている。また、これら突起２２は、上述の複数の突起２１間に嵌合可能に構成されている。換言すると、複数の突起２１は、複数の突起２２間に嵌合可能に構成されている。
【００２８】
ベース部２ａの上面に形成された筒状部５の複数の突起２１間に、高さ調整部２ｂの壁部２４に形成された複数の突起２２を嵌合させることで、ベース部２ａと高さ調整部２ｂとが連結される。つまり、高さ調整部２ｂは、壁部２４間にベース部２ａの筒状部５をはさみ込むことで、ベース部２ａに装着される。そして、突起２１を所定の突起２２間に嵌合させることで、高さ調整部２ｂをベース部２ａの長手方向Ａにおける所定位置に位置決め可能となる。なお、筒状部５は楕円形状であるため、筒状部５の長手方向Ａの中央部分に形成された突起２１が、幅方向Ｂにおいて、最も外側に突出している。よって、筒状部５の長手方向Ａの中央部分に形成された突起２１が、壁部２４に形成された突起２２間に最も深く嵌り込む。また、これら突起２１，２２は、図５に示すように、山型形状に形成されているため、高さ調整部２ｂをベース部２ａに対して長手方向Ａにスライドさせると、突起２１，２２同士の係合により、筒状部５の長手方向Ａの中央部分には幅方向Ｂに沿って中心に向かう力が加わる。このとき、筒状部５が中空であるため、中心に向かって弾性変形し、高さ調整部２ｂがスライド可能となる。つまり、高さ調整部２ｂは、図７に示すように、ベース部２ａに対して水平移動可能に構成されている。
【００２９】
なお、突起２１及び突起２２は形成されていなくてもよい。但し、高さ調整部２ｂの突起２２とベース部２ａの突起２１間とが嵌合可能であることで、高さ調整部２ｂは、ベース部２ａに対して一定の距離ずつ水平方向に移動させることができる。これにより、ベース部２ａに対する高さ調整部２ｂの位置決めを容易に行うことができる。このため、突起２１及び突起２２は形成されていることが好ましい。また、高さ調整部２ｂをベース部２ａに対して水平方向に移動させたときに、壁部２４の長手方向Ａの両端に形成されたつなぎ部２５が筒状部５に当接することで、高さ調整部２ｂがベース部２ａから外れるのを防ぐことができる。
【００３０】
また、２つの壁部２４をつなぐ繋ぎ部２５は、高さ調整部２ｂが水平方向に移動した際の移動規制を担う。すなわち、高さ調整部２ｂがベース部２ａに対して水平方向に移動させたとき、筒状部５の上部が繋ぎ部２５と接触することによって、それ以上の移動を規制し、高さ調整部２ｂが筒状部５から外れることを防ぐ。
【００３１】
なお、高さ調整部２ｂの壁部２４の長手方向Ａに沿った長さを大きくし、突起２２の数を増やしてもよい。これにより、高さ調整部２ｂが、ベース部２ａに対して水平に移動可能な距離を大きくすることができる。また、突起２１及び突起２２の間隔を小さくしてもよい。これにより、ベース部２ａに対する高さ調整部２ｂの水平移動距離をより細かく調整することができる。
【００３２】
取付部３は、ベース部２ａの長手方向Ａと平行な一側面２０ａ（床下側）に形成され、基礎パッキン１４の通気孔１６に挿入されて取り付けられる挿入部である。取付部３は、図６に示すように、幅方向Ｂに沿って延び、且つ、長手方向Ａに沿って並ぶように形成された２本の突出部３ａと、突出部３ａの先端から長手方向Ａに沿って外側に広がった２つの係止部３ｂとを含んでいる。これら２つの係止部３ｂは、先端に向かうに連れて先細り形状に形成されている。また、２本の突出部３ａの外側面同士の距離Ｗ１は、基礎パッキン１４のそれぞれの通気孔１６の長手方向Ａに沿った幅Ｘ（図３を参照）、よりも小さく、２つの係止部３ｂの最も外側端同士の距離Ｗ２は幅Ｘよりも大きい。このため、取付部３を基礎パッキン１４の通気孔１６に挿入して取り付けるときには、係止部３ｂと通気孔１６の内面とが係合し、距離Ｗ２が幅Ｘよりも小さくなるように２本の突出部３ａの先端が内側に撓んだ状態となって取付部３を幅方向Ｂに沿って通気孔１６に挿入する。そして、係止部３ｂが通気孔１６から貫通孔１４ｃに達することで、係止部３ｂが外側に広がって取付部３が基礎パッキン１４に係合し、床下支持部材１が基礎パッキン１４に固定される。
【００３３】
なお、取付部３は、鉛直方向Ｃにおいてベース部２ａの中央よりやや下であり、ベース部２ａの下端より上に配置されている。そして、取付部３が基礎パッキン１４に取り付けられているとき、ベース部２ａの支持面６と対向する下面、すなわち、上面２ａ１と対向する下面２ａ２が基礎１２の上面１２ａと接触可能に形成されている（図２参照）。
【００３４】
また、支持部本体２の鉛直方向Ｃに沿った長さは、基礎パッキン１４の鉛直方向Ｃに沿った長さより大きい。このため、取付部３が基礎パッキン１４に取り付けられているとき、高さ調整部２ｂの支持面６は土台１３の下面より上方に配置される。これにより、大引き１５の鉛直方向Ｃに沿った長さが土台１３の鉛直方向Ｃに沿った長さよりも小さい場合でも、大引き１５の上面と土台１３の上面とが同一平面上に位置するように配置することができる。
【００３５】
続いて、床下支持部材１を設置する方法について説明する。まず、高さ調整部２ｂが取り外された床下支持部材１の取付部３を基礎パッキン１４の所定の通気孔１６に挿入する。このとき、取付部３を基礎パッキン１４に対して床下側から通気孔１６に挿入する。取付部３の先端の係止部３ｂは、貫通孔１４ｃ内で長手方向Ａの両側に広がることで基礎パッキン１４の貫通孔１４ｃの内周面と係合する。これによって、取付部３が基礎パッキン１４に固定される。このとき、ベース部２ａの下面２ａ２は基礎１２の上面１２ａと接触する。なお、基礎１２の上面１２ａと接触するのは、直接的でも間接的でもよく、また、ベース部２ａの下面２ａ２の一部でもよく、全部でもよい。また、予め取り外された高さ調整部２ｂは、支持面６と大引き１５の先端部の下面１５ａとを接触させた状態で、孔７から大引き１５の下面１５ａに対して釘を打ち込んで当該大引き１５に固定する。
【００３６】
この後、ベース部２ａの筒状部５の突起２１間に、大引き１５に固定された高さ調整部２ｂの突起２２をはめ込むことで、高さ調整部２ｂをベース部２ａに取り付ける。このとき、高さ調整部２ｂをベース部２ａに対して水平移動させることで、位置調整してもよい。こうして、床下支持部材１の設置が完了する。
【００３７】
なお、大引き１５に高さ調整部２ｂを固定しない場合は、ベース部２ａから高さ調整部２ｂを取り外さずに床下支持部材１を基礎パッキン１４に、上述と同様に取り付けてもよい。そして、高さ調整部２ｂの水平位置を調整後、大引き１５の先端部を支持面６で下方から支持させてもよい。
【００３８】
以上に述べたように、本実施形態の床下支持部材１によると、取付部３を基礎パッキン１４に係合させることで床下支持部材１を基礎パッキン１４に取り付け可能である。つまり、釘等の連結具を使用しなくても、床下支持部材１を基礎パッキン１４に取り付けることが可能となる。このため、床下支持部材１の取付作業が容易となる。また、取付部（挿入部）３は、支持部本体２の長手方向Ａと平行である一方（床下側）の側面２０ａから幅方向Ｂに沿って延びる突出部３ａと、突出部３ａの先端に形成された係止部３ｂとを有している。突出部３ａを基礎パッキン１４の通気孔１６に挿入し、係止部３ｂを基礎パッキン１４の貫通孔１４ｃの内周面に係止させることで取り付けることができるため、簡単な構成で床下支持部材１を取り付け可能である。
【００３９】
また、支持部本体２のベース部２ａの下面２ａ２の一部又は全部は、床下支持部材１の取付部３を基礎パッキン１４に取り付けたときに、基礎１２の上面１２ａと接触可能となるように形成されている。これにより、床下支持部材１の取付部３を基礎パッキン１４に取り付けたときに、支持部本体２を基礎１２の上面１２ａ上に配置させることができ、床下支持部材１を安定して配置させることが可能となる。さらに、基礎１２の上面１２ａで支持面６を間接的に支持することができて、支持面６上に大引き１５を安定して載置することができる。また、支持部本体２の高さ調整部２ｂの支持面６は、床下支持部材１の取付部３を基礎パッキン１４に取り付けたときに、土台１３の下面１３ａよりも上方に配置されるように形成されている。これにより、床下支持部材１は、土台１３の下面１３ａよりも上方の位置で大引き１５を支持することができるため、土台１３の上面１３ｂと大引き１５の上面１５ｂとを同一平面状に配置しても、大引き１５のサイズを土台１３よりも小さいサイズにすることが可能となる。よって、必要以上に大きなサイズの大引き１５の使用を控えることが可能となり、省資源化を図ることができる。さらに、大引き１５のサイズを小さくすることが可能になるため、大引き１５のコストを低減することも可能となる。
【００４０】
また、高さ調整部２ｂは、ベース部２ａに対して、水平方向に移動可能である。これにより、大引き１５の設置位置に応じて、高さ調整部２ｂが大引き１５の真下に位置するような適切な位置に、高さ調整部２ｂを配置させることが可能となる。例えば、ベース部２ａを取り付けた後に、高さ調整部２ｂを水平方向に移動させて配置することが可能となる。このため、大引き１５を支持しやすくなる。また、ベース部２ａに形成された複数の突起２１と、高さ調整部２ｂに形成された複数の突起２２とは互いにはまり込むように対応している。このため、高さ調整部２ｂは鉛直方向Ｃに沿ってベース部２ａから着脱可能である。大引き１５のサイズに応じて、高さ調整部２ｂをベース部２ａに対して着脱させることで、鉛直方向Ｃにおいて２段階の位置で大引き１５を支持することが可能となる。また、鉛直方向Ｃにおいて、ベース部２ａの長さ（高さ）と基礎パッキン１４の長さ（厚み）とがほぼ同じである。このため、土台１３と大引き１５との高さが同じである場合、床下支持部材１から高さ調整部２ｂを取り外して、ベース部２ａの上面２ａ１上で大引き１５を支持してもよい。また、ベース部２ａの上面２ａ１が基礎パッキン１４の上面１４ｂよりも上方に配置される場合に、高さ調整部２ｂをベース部２ａから取り外して大引き１５の支持位置を調整してもよい。
【００４１】
また、ベース部２ａには、長手方向Ａと平行な両側面２０ａ，２０ｂを幅方向Ｂに沿って貫通する貫通孔４が、長手方向に沿って４つ形成されている。なお、貫通孔４は、床下支持部材１を基礎パッキン１４に取り付けたときに、基礎パッキン１４の通気孔１６と対向する位置に形成されている。これによって、基礎パッキン１４に形成された通気孔１６と貫通孔４とが連通可能となる。そして、床下支持部材１は、基礎１２と土台１３との間の通気性能の低下を抑制しつつ、大引き１５を支持することができる。
【００４２】
以上、本発明の好適な実施の形態について説明したが、本発明は上述の実施の形態に限られるものではなく、特許請求の範囲に記載した限りにおいて様々な変更が可能である。なお、図８及び図９についても、上述の長手方向Ａ、幅方向Ｂ及び鉛直方向Ｃを反映して示す。
【００４３】
例えば、本発明に係る床下支持部材は、通気孔を有さない非換気タイプの基礎パッキンにも取り付け可能である。第１変形例においては、基礎パッキン３４には、図８（ａ）に示すように、幅方向Ｂに沿って床下側に開口し外装側に貫通していない開口部３６が長手方向Ａに沿って複数形成されている。この場合、床下支持部材１０１の取付部３３は、図８（ｂ）に示すように、上述の係止部３ｂと同様な係止部を有しておらず、支持部本体２の一側面２０ａから突出して形成され、開口部３６と嵌合可能な直方体形状を有する挿入部である。また、取付部３３は、その幅方向Ｂに平行な両側面間の距離Ｗ３が、開口部３６の長手方向Ａに沿った幅Ｙよりもわずかに大きくなるように形成されている。これにより、取付部３３の開口部３６への挿入時に、開口部３６の内面が取付部３３により押し広げられるようにして、開口部３６と取付部３３とが係合する。こうして取付部３３が基礎パッキン１４に取り付けられる。なお、取付部３３は、長手方向Ａに沿って複数形成されていてもよい。この場合、複数の取付部３３がそれぞれの開口部３６の内面と係合する。
【００４４】
また、第２変形例においては、基礎パッキン１４は、基礎１２の上面１２ａ全体に亘って配置されておらず、長手方向Ａの長さが短尺な複数の基礎パッキン１４が基礎１２上に間隔を開けて配置されている。この場合、取付部４３は、図９に示すように、支持部本体２の一側面２０ａから幅方向Ｂに突出し、且つ、鉛直方向Ｃに沿って並ぶように形成された２本の突出部４３ａと、突出部４３ａの先端から鉛直方向Ｃに沿って上下に広がった２つの係止部４３ｂとを含んでいる。これら２つの係止部４３ｂも、先端に向かうに連れて先細り形状に形成されている。また、２本の突出部４３ａの上面と下面との間の距離は、基礎１２と土台１３との間の距離Ｚよりも小さく、２つの係止部４３ｂの上端と下端間の距離は、距離Ｚよりも若干大きい。このため、取付部４３を２つの基礎パッキン１４の間に挿入して取り付けるときには、係止部４３ｂと基礎１２及び土台１３とが係合し、２つの係止部４３ｂの上端と下端間の距離が距離Ｚにほぼ等しくなるように２本の突出部４３ａの先端が内側に撓んだ状態となって取付部４３を幅方向Ｂに沿って挿入する。そして、係止部４３ｂが基礎パッキン１４間において、が基礎１２の上面１２ａ及び土台１３の下面１３ａと係合する。これによって、床下支持部材２０１を、基礎１２及び土台１３に取り付けることができる。つまり、取付部４３は、基礎パッキン１４間に挿入して、床下支持部材２０１を取り付けるための挿入部である。また、取付部４３を基礎パッキン１４の通気孔１６内に挿入して取り付けるときには、取付部４３は撓むことなく係止部４３ｂを基礎パッキン１４のアンカーボルト用の貫通孔１４ｃ内に位置させて取り付けられる。
【００４５】
続いて、複数の挿入部を有する取付部を含む床下支持部材３０１及び調整用スペーサ３１０について、図１０〜図１４を参照しつつ以下に説明する。第３変形例による床下支持部材３０１においても、図１０に示すように、基礎パッキン１４の通気孔１６に後述の取付部３０３の挿入部３０４ａ〜３０４ｃが挿入されることで基礎パッキン１４に取り付けられる。そして、床下支持部材３０１の上面である支持面３０１ａにおいて、大引き１５を支持することが可能となる。
【００４６】
本変形例においては、基礎１２の上面１２ａと床下支持部材３０１の下面３０１ｂとの間に調整用スペーサ３１０を介在させることで建物が構成される。このように調整用スペーサ３１０を採用することで、床下支持部材３０１の支持面３０１ａの高さを高くするように調整することが可能となる。したがって、このような床下支持部材３０１を用いる際に、大引き１５のサイズが小さくても、調整用スペーサ３１０を用いることで大引き１５の上面１５ｂと土台１３の上面１３ｂとを同一平面上に配置させることが可能となる。換言すると、大引き１５のサイズを小さくすることが可能であるため、大引き１５のコストを低減することが可能となる。なお、図１０〜図１４についても、上述の長手方向Ａ、幅方向Ｂ及び鉛直方向Ｃを反映して示す。
【００４７】
床下支持部材３０１は、合成樹脂から構成されており、図１１〜図１３に示すように、支持部本体３０２と、取付部３０３とを有する。支持部本体３０２は、長手方向Ａに長尺な略直方体形状を有している。また、支持部材本体３０２は、図１２に示すように、幅方向Ｂにおいて、側面（長手方向Ａに平行な一側面）３０２ａと側面３０２ａと対向する側面（他の側面）３０２ｂとの間の幅Ｗ５が、鉛直方向Ｃにおいて、支持面３０１ａと下面３０１ｂとの間の高さＷ６（幅）よりも小さくなるように構成されている。本変形例において、側面３０２ａと側面３０２ｂとの間の幅Ｗ５は、基礎パッキン１４の厚み（鉛直方向Ｃの幅）とほぼ同様である。また、支持部本体３０２は、図１０に示すように、床下支持部材３０１を基礎パッキン１４に取り付けたときに、その支持面３０１ａが土台１３の下面１３ａよりも上方に配置されるように構成されている。これにより、上述の実施形態と同様に、床下支持部材３０１は、土台１３の下面１３ａよりも上方の位置で大引き１５を支持することができ、必要以上に大きなサイズの大引き１５の使用を控えることが可能となり、省資源化を図ることができる。さらに、大引き１５のサイズを小さくすることが可能になるため、大引き１５のコストを低減することも可能となる。
【００４８】
また、支持部本体３０２には、２つの貫通孔３２０が形成されている。これら貫通孔３２０は、長手方向Ａにおいて、互いに離隔して配置されている。より詳細には、後述の３つの挿入部３０４ａ〜３０４ｃ及び３つの挿入部３０５ａ〜３０５ｃ間に配置されている。また、貫通孔３２０は、側面３０２ａと側面３０２ｂを幅方向Ｂに沿って貫通して形成されている。また、貫通孔３２０は、鉛直方向Ｃにおいて、支持部本体３０２の中央から下端にかけて形成されており、下方に向かっても開口している。このため、下面３０１ｂは、長手方向Ａにおいて、貫通孔３２０によって分断されている。このような貫通孔３２０が支持部本体３２０に形成されていることで、上述の実施形態と同様に、基礎パッキン１４に床下支持部材３０１を取り付けた場合でも、基礎１２と土台１３との間の通気性能の低下を抑制することが可能となる。
【００４９】
また、支持部本体３０２の下面３０１ｂ（床下支持部材３０１の下面）は、図１２に示すように、水平面３０１ｂ１と、２つの傾斜部３０１ｂ２，３０１ｂ３とを有している。２つの傾斜部３０１ｂ２，３０１ｂ３は、幅方向Ｂにおいて、下面３０１ｂの両端部に配置されており、水平面３０１ｂ１を挟んでいる。また、傾斜部３０１ｂ２は、幅方向Ｂにおいて、水平面３０１ｂ１の側面３０２ａ側の端部から側面３０２ａに近づくに連れて上方に傾斜している。一方、傾斜部３０１ｂ３は、幅方向Ｂにおいて、水平面３０１ｂ１の側面３０２ｂ側の端部から側面３０２ｂに近づくに連れて上方に傾斜している。このような２つの傾斜部３０１ｂ２，３０１ｂ３が下面３０１ｂに形成されていることで、床下支持部材３０１が後述の第１の挿入部３０４ａ〜３０４ｃにより基礎パッキン１４に取り付けられ、支持部本体３０３が床下側端部にバリが残存する基礎１２の上面１２ａに配置されても、傾斜部３０１ｂ３により、バリが支持部本体３０２の下面３０１ｂに干渉するのを抑制することが可能となる。このため、床下支持部材３０１を精度よく配置することが可能となる。一方、床下支持部材３０１が後述の第２の挿入部３０５ａ〜３０５ｃにより基礎パッキン１４に取り付けられ、支持部本体３０３が床下側端部にバリが残存する基礎１２の上面１２ａに配置されても、傾斜部３０１ｂ２により、バリが支持部本体３０２の下面３０１ｂに干渉するのを抑制することが可能となる。このため、上述と同様に、床下支持部材３０１を精度よく配置することが可能となる。また、これら傾斜部３０１ｂ２，３０１ｂ３が形成されていることで、基礎１２上に床下支持部材３０１を配置した後に、調整用スペーサ３１０を床下支持部材３０１と基礎１２との間に挿入する際に、その入り口となる部分が傾斜部３０１ｂ２，３０１ｂ３によって広がるために、調整用スペーサ３１０を挿入しやすくなる。この結果、床下支持部材３０１の高さ調整を容易に行うことが可能となる。
【００５０】
取付部３０３は、図１１〜図１３に示すように、３つの第１の挿入部３０４ａ〜３０４ｃと、３つの第２の挿入部３０５ａ〜３０５ｃとを有している。３つの第１の挿入部３０４ａ〜３０４ｃは、図１２に示すように、支持部本体３０２の側面３０２ａの下端部から幅方向Ｂに突出して形成されている。また、各挿入部３０４ａ〜３０４ｃは、鉛直方向Ｃにおいて、その下端が通気孔１６の下端よりも高い位置に配置され、上端が通気孔１６の上端よりも低い位置に配置されている。また、各挿入部３０４ａ〜３０４ｃは、図１０に示すように、鉛直方向Ｃの幅が通気孔１６の高さより小さく形成されている。このため、第１の挿入部３０４ａ〜３０４ｃを基礎パッキン１４の通気孔１６に挿入して床下支持部材３０１を基礎パッキン１４に取り付ける際に、鉛直方向Ｃにおいて、各挿入部３０４ａ〜３０４ｃと通気孔１６の内面との間に隙間が形成されやすくなる。このため、調整用スペーサ３１０で床下支持部材３０１の支持面３０１ａの高さ位置を調整しても、挿入部３０４ａ〜３０４ｃと基礎パッキン１４とが干渉しにくくなる。
【００５１】
また、３つの第１の挿入部３０４ａ〜３０４ｃは、長手方向Ａに沿って互いに離隔して並設されている。また、３つの第１の挿入部３０４ａ〜３０４ｃは、長手方向Ａにおいて、貫通孔３２０を挟むように配置されており、互いにほぼ同様の構成からなる。各挿入部３０４ａ〜３０４ｃは、図１３に示すように、側面３０２ａから幅方向Ｂに沿って延び、且つ、長手方向Ａに並んで配置された２本の突出部３０４ａ１〜３０４ｃ１を有している。２本の突出部３０４ａ１〜３０４ｃ１は、側面３０２ａから幅方向Ｂに離れるに連れて長手方向Ａに互いに離れ、先端近傍において長手方向Ａに互いに近づくように形成されている。２本の突出部３０４ａ１〜３０４ｃ１の長手方向Ａの最大幅Ｗ７は、通気孔１６の幅Ｘよりもやや大きい。このため、挿入部３０４ａ〜３０４ｃを基礎パッキン１４の通気孔１６に挿入することで、突出部３０４ａ１〜３０４ｃ１と通気孔１６の内面とが係合し、幅Ｗ７が幅Ｘよりも小さくなるように２本の突出部３０４ａ１〜３０４ｃ１の先端が内側に撓んだ状態となる。このときの２本の突出部３０４ａ１〜３０４ｃ１と通気孔１６の内面との係合により、床下支持部材３０１が基礎パッキン１４に固定される。また、各第１の挿入部３０４ａ〜３０４ｃの基端部には、２本の突出部３０４ａ１〜３０４ｃ１を繋ぐ繋ぎ部３０４ａ２〜３０４ｃ２が形成されている。また、２本の突出部３０４ｂ１の内側面には、互いに向かって突出する突起３０４ｂ３が形成されている。これら突起３０４ｂ３は、三角形平面形状を有している。
【００５２】
３つの第２の挿入部３０５ａ〜３０５ｃは、図１１（ｂ）に示すように、支持部本体３０２の側面３０２ｂから幅方向Ｂに突出して形成されている。また、各挿入部３０５ａ〜３０５ｃは、鉛直方向Ｃにおいて、その幅が側面３０２ｂの中央から下端に亘る幅となっており、挿入部３０４ａ〜３０４ｃの鉛直方向Ｃの幅よりも大きく形成されている。なお、３つの第２の挿入部３０５ａ〜３０５ｃのうち、長手方向Ａの中央に配置された第２の挿入部３０５ｂだけ、両端の第２の挿入部３０５ａ，３０５ｃよりも鉛直方向Ｃの幅が大きく形成されている。また、各挿入部３０５ａ〜３０５ｃは、鉛直方向Ｃにおいて、その下端が通気孔１６の下端よりも高い位置に配置され、上端が通気孔１６の上端よりも低い位置に配置されている。本実施形態における第２の挿入部３０５ｂの鉛直方向Ｃの幅は、通気孔１６にちょうど嵌合可能な幅に形成されている。つまり、他の第２の挿入部３０４ａ，３０４ｃの鉛直方向Ｃの幅は、通気孔１６よりもやや小さくなっている。
【００５３】
また、３つの第２の挿入部３０５ａ〜３０５ｃは、図１３に示すように、３つの第１の挿入部３０４ａ〜３０４ｃと幅方向Ｂに沿って対向して配置されている。つまり、３つの第２の挿入部３０５ａ〜３０５ｃは、長手方向Ａに沿って互いに離隔して並設されている。また、３つの第２の挿入部３０５ａ〜３０５ｃは、長手方向Ａにおいて、貫通孔３２０を挟むように配置されている。各挿入部３０５ａ〜３０５ｃは、側面３０２ａから幅方向Ｂに沿って延び、且つ、長手方向Ａに並んで配置された２本の突出部３０５ａ１〜３０５ｃ１を有している。２本の突出部３０５ａ１〜３０５ｃ１は、幅方向Ｂにおいて、２本の突出部３０４ａ１〜３０４ｃ１よりも短く形成されている。また、２本の突出部３０５ａ１〜３０５ｃ１の長手方向Ａの幅Ｗ８は、通気孔１６の幅Ｘよりも若干小さい。このため、挿入部３０５ａ〜３０５ｃが基礎パッキン１４の通気孔１６に嵌合可能となる。したがって、挿入部３０５ａ〜３０５ｃを通気孔１６等の凹部に嵌合させることで、床下支持部材３０１を基礎パッキン１４に固定することができる。
【００５４】
また、取付部３０３は、各挿入部３０４ａ〜３０４ｃの基端部に配置された括れ部３０３ａと、各挿入部３０５ａ〜３０５ｃの基端部に配置された括れ部３０３ｂとを有する。括れ部３０３ａは、各挿入部３０４ａ〜３０４ｃの基端部の外周全体に亘って形成され、各挿入部３０４ａ〜３０４ｃの基端部が部分的に細くなるように形成されている。これにより、ユーザが必要に応じていずれかの挿入部３０４ａ〜３０４ｃを基端部で折り曲げることで、折り曲げられた挿入部３０４ａ〜３０４ｃが支持部本体３０２から折断可能となる。
【００５５】
括れ部３０３ｂは、２本の突出部３０５ａ１〜３０５ｃ１のそれぞれの基端部に形成された部分括れ部３０３ｂ１，３０３ｂ２を有している。部分括れ部３０３ｂ１，３０３ｂ２は、２本の突出部３０５ａ１〜３０５ｃ１のそれぞれの基端部の外側面に形成されており、各突出部３０５ａ１〜３０５ｃ１の基端部が部分的に細くなるように形成されている。これにより、ユーザが必要に応じていずれかの挿入部３０５ａ〜３０５ｃを基端部で折り曲げることで、折り曲げられた挿入部３０５ａ〜３０５ｃが支持部本体３０２から折断可能となる。
【００５６】
調整用スペーサ３１０は、合成樹脂から構成されている。また、調整用スペーサ３１０は、図１４に示すように、長手方向Ａに沿って長尺な長方形平面形状を有する板状部材から構成されている。また、本変形例における調整用スペーサ３１０は、長手方向Ａにおいて、その長さが支持部本体３０２の下面３０１ｂの長さ以上であり、支持部本体３０２を長手方向Ａの全長に亘って下方から支持することが可能となる。このため、長手方向Ａにおいて、床下支持部材３０１の基礎１２に対するガタつきを抑制することが可能となる。また、本変形例における調整用スペーサ３１０は、幅方向Ｂにおいて、その長さが支持部本体３０２の下面３０１ｂの長さ以上であり、支持部本体３０２を幅方向Ｂの全長に亘って下方から支持することが可能となる。このため、幅方向Ｂにおいて、床下支持部材３０１の基礎１２に対するガタつきを抑制することが可能となる。なお、調整用スペーサ３１０は、長手方向Ａにおいて、その長さが支持部本体３０２の長さよりも短くてもよい。また、調整用スペーサ３１０は、幅方向Ｂにおいて、その長さが支持部本体３０２の長さよりも短くてもよい。なお、別の変形例として、調整用スペーサ３１０の長手方向Ａの一端部は、長手方向Ａにおいて、一端に向かうに連れて厚みが減少して先細りとなる形状を有していてもよい。こうすることで、調整用スペーサ３１０を床下支持部材３１０と基礎１２との間に挿入しやすくなる。さらに別の変形例として、調整用スペーサ３１０を支持面３０１ａ上に配置して、床下支持部材３１０と大引き１５との間に介在させてもよい。これにおいても、大引き１５の高さ位置を調整することが可能となる。
【００５７】
続いて、上述の床下支持部材３０１を基礎パッキン３１４に取り付けるときの取付方法について、図１５を参照しつつ以下に説明する。本変形例における基礎パッキン３１４は、図１５に示すように、複数の通気孔３１６の配列ピッチが、床下支持部材３０１の取付部３０３の３つの第１の挿入部３０４ａ〜３０４ｃの配列ピッチよりやや大きく異なる。このため、３つの第１の挿入部３０４ａ〜３０４ｃを通気孔３１６に挿入して、床下支持部材３０１を取り付けることができない。なお、図１５についても、上述の長手方向Ａ、幅方向Ｂ及び鉛直方向Ｃを反映して示す。
【００５８】
このような基礎パッキン３１４に床下支持部材３０１を取り付ける際は、図１５に示すように、３つの第１の挿入部３０４ａ〜３０４ｃのうち、中央にある第１の挿入部３０４ｂ以外の２つの第１の挿入部３０４ａ，３０４ｃを括れ部３０３ａで折り曲げて除去する。この後、第１の挿入部３０４ｂを通気孔３１６に挿入し、床下支持部材３０１を基礎パッキン３１４に固定する。このように本変形例における床下支持部材３０１は、括れ部３０３ａを有していることで、第１の挿入部３０４ａ〜３０４ｃの配列ピッチと基礎パッキン３１４の通気孔３１６の配列ピッチとが異なっていても、不要となる２つの第１の挿入部３０４ａ，３０４ｃを取り除いて基礎パッキン３１４に固定することが可能となる。また、取付部３０３が、長手方向Ａに沿って並設された３つの第１の挿入部３０４ａ〜３０４ｃを有していることで、基礎パッキン３１４の通気孔（開口部）３１６の配列ピッチが第１の挿入部３０４ａ〜３０４ｃの配列ピッチとずれていても、一部の挿入部３０４ａ，３０４ｃを取り除くことで、挿入位置を調整しやすくなる。
【００５９】
なお、第１の挿入部３０４ａ〜３０４ｃのうち、いずれか２つの第１の挿入部の配列ピッチと基礎パッキンの通気孔の配列ピッチとが同じであれば、同じ配列ピッチを構成する２つの第１の挿入部以外の第１の挿入部を上述と同様に折り曲げて除去する。そして、２つの第１の挿入部を通気孔に挿入して基礎パッキンに床下支持部材３０１を固定してもよい。
【００６０】
続いて、上述の床下支持部材３０１を基礎パッキン４１４に取り付けるときの取付方法について、図１６を参照しつつ以下に説明する。本変形例における基礎パッキン４１４は、図１６に示すように、上述の基礎パッキン１４とほぼ同様であり、複数の通気孔１６に代えて複数の凹部４１６を有する非換気タイプの基礎パッキンである。なお、基礎パッキン４１４の複数の凹部４１６の長手方向Ａの配列ピッチと上述の基礎パッキン１４の複数の通気孔１６の長手方向Ａの配列ピッチは同である。凹部４１６は、通気孔１６の幅方向Ｂの長さが基礎パッキン４１４の略中央までのものと同様なものであり、幅方向Ｂにおいて、その長さが第１の挿入部３０４ａ〜３０４ｃの長さよりも短く、第２の挿入部３０５ａ〜３０５ｃの長さよりも長い。なお、図１６についても、上述の長手方向Ａ、幅方向Ｂ及び鉛直方向Ｃを反映して示す。
【００６１】
このような基礎パッキン４１４に床下支持部材３０１を取り付ける際は、図１６に示すように、３つの第２の挿入部３０５ａ〜３０５ｃを凹部４１６に挿入し、床下支持部材３０１を基礎パッキン４１４に固定する。このように本変形例における床下支持部材３０１は、第１の挿入部３０４ａ〜３０４ｃに加えて、第１の挿入部３０４ａ〜３０４ｃと幅方向Ｂにおける長さの異なる第２の挿入部３０５ａ〜３０５ｃを有していることで、幅方向Ｂの長さの短い複数の凹部４１６を有する基礎パッキン４１４においても、床下支持部材３０１を固定することが可能となる。なお、床下支持部材３０１は、括れ部３０３ｂを有しているため、凹部４１６の配列ピッチと第２の挿入部３０５ａ〜３０５ｃの配列ピッチとが異なっても、上述の第１の挿入部３０４ａ〜３０４ｃと同様に、必要に応じて括れ部３０３ｂで３つの第２の挿入部３０５ａ〜３０５ｃのうちの２以下の第２の挿入部を折り曲げて除去し、残った第２の挿入部を凹部４１６に挿入して、基礎パッキン４１４に床下支持部材３０１を固定してもよい。また、第１の挿入部３０４ａ〜３０４ｃの幅方向Ｂの途中部位（例えば、中央）に括れ部３０３ａが形成されていてもよい。この場合、第１の挿入部３０４ａ〜３０４ｃを括れ部３０３ａで折り曲げて部分的に除去することで、第１の挿入部３０４ａ〜３０４ｃの長さを変更し、凹部４１６に挿入することができる。こうして、床下支持部材３０１を基礎パッキン４１４に固定してもよい。この場合、第１の挿入部３０４ａ〜３０４ｃは、幅方向Ｂの中央部よりも基端部側において最大幅Ｗ７を有する構成とすることが望ましい。こうすることで、床下支持部材３０１を基礎パッキン４１４に強固に固定することができる。
【００６２】
以上に述べたように、第３変形例の床下支持部材３０１によると、上述の実施形態と同様に、取付部３０３を基礎パッキン１４，３１４，４１４に係合させることで床下支持部材３０１を基礎パッキン１４，３１４，４１４に取り付け可能である。また、第１の挿入部３０４ａ〜３０４ｃと第２の挿入部３０５ａ〜３０５ｃの幅方向Ｂの長さが異なることで、基礎パッキン１４，４１４の種類に応じて側面に形成された開口部（通気孔１６）又は凹部４１６の深さが異なるものであっても、床下支持部材３０１を効果的に取り付けることが可能となる。
【００６３】
続いて、第４変形例における床下支持部材４０１について、図１７〜図１９を参照しつつ以下に説明する。なお、図１７〜図１９についても、上述の長手方向Ａ、幅方向Ｂ及び鉛直方向Ｃを反映して示す。本変形例における床下支持部材４０１は、図１７及び図１８に示すように、上述の床下支持部材３０１とほぼ同様であるが、取付部４０３が３つの第１の挿入部３０４ａ〜３０４ｃと、上述の第２の挿入部３０５ａと同様な構成からなる３つの第２の挿入部４０５ａ〜４０５ｃを有している。また、各挿入部３０４ａ〜３０４ｃは、後述するように３つの第２の挿入部４０５ａ〜４０５ｃを括れ部４０３ｂで折り曲げて除去した状態及び除去しない状態の両方で、鉛直方向Ｃにおいて、その下端が通気孔１６の下端よりも高い位置に配置され、上端が通気孔１６の上端よりも低い位置に配置されている。３つの第２の挿入部４０５ａ〜４０５ｃは、支持部本体３０２の下面３０１ｂの水平面３０１ｂ１に長手方向Ａに互いに離隔してそれぞれ形成されている。また、３つの第２の挿入部４０５ａ〜４０５ｃの長手方向Ａの配列ピッチは、上述の３つの第２の挿入部３０５ａ〜３０５ｃの配列ピッチと同様である。また、３つの第２の挿入部４０５ａ〜４０５ｃの基端部には上述の括れ部３０３ｂと同様な括れ部４０３ｂが形成されている。なお、上述の床下支持部材３０１と同様なものは、同符号で示し説明を省略する。
【００６４】
このような床下支持部材４０１の３つの第１の挿入部３０４ａ〜３０４ｃを通気孔１６に挿入して、当該床下支持部材４０１を基礎パッキン１４に取り付ける際は、まず、床下支持部材４０１から３つの第２の挿入部４０５ａ〜４０５ｃを括れ部４０３ｂで折り曲げて除去する。本変形例においては、図１９（ａ）に示すように、括れ部４０３ｂの残存部分はそのままの状態であるが、支持高さを調整するために、当該残存部分を削り取ってもよい。この後、３つの第１の挿入部３０４ａ〜３０４ｃを通気孔１６に挿入し、床下支持部材４０１を基礎パッキン１４に固定する。なお、大引き１５のサイズがもう少し小さい場合は、３つの第２の挿入部４０５ａ〜４０５ｃを除去せずに残し、第２の挿入部４０５ａ〜４０５ｃの先端を基礎１２に接触させるようにして、床下支持部材４０１を設置してもよいし、括れ部４０３ｂ、括れ部４０３ｂの残存部分及び当該残存分を削り取った後の下面３０１ｂのいずれかと基礎１２との間に高さ調整のために上述の調整用スペーサ３１０を介在させてもよい。
【００６５】
一方、大引きのサイズが土台１３とほぼ同じである大引き４１５（床下部材）を用いる場合、まず、床下支持部材４０１から３つの第１の挿入部３０４ａ〜３０４ｃを括れ部３０３ａで折り曲げて除去する。本変形例においては、図１９（ｂ）に示すように、括れ部３０３ａの残存部分を削り取るが、当該残存部分は比較的小さい部位であるため、設置時に支障がなければ、そのままの状態であってもよい。この後、３つの第２の挿入部４０５ａ〜４０５ｃを通気孔１６に挿入し、床下支持部材４０１を基礎パッキン１４に固定する。この場合、側面３０２ｂが大引きを支持する支持面となる。なお、各挿入部４０５ａ〜４０５ｃは、３つの第１の挿入部３０４ａ〜３０４ｃを括れ部３０３ａで折り曲げて除去した状態で、鉛直方向Ｃにおいて、その下端が通気孔１６の下端よりも高い位置に配置され、上端が通気孔１６の上端よりも低い位置に配置されている。これにより、床下支持部材４０１と基礎１２との間に調整用スペーサを介在させることも可能となる。
【００６６】
このように床下支持部材４０１は、支持部本体３０２の幅方向Ｂの幅Ｗ５及び鉛直方向Ｃの幅Ｗ６が異なり、さらに側面３０２ａに３つの挿入部３０４ａ〜３０４ｃ及び下面３０１ｂに３つの挿入部４０５ａ〜４０５ｃが形成されている。これにより、側面３０２ａに形成された３つの挿入部３０４ａ〜３０４ｃを用いて基礎パッキン１４に取り付けるときと、下面に３０１ｂに形成された３つの挿入部４０５ａ〜４０５ｃを用いて基礎パッキン１４に取り付けるときとで、大引き（床下部材）を支持する支持高さを異ならせることが可能となる。したがって、床下支持部材４０１を大引きのサイズに応じて基礎パッキン１４に取り付けることが可能となる。また、床下支持部材４０１で大引き１５を支持する位置を基礎パッキン１４の上面１４ｂよりも高い位置で受けることも可能となる。この場合、大引き１５の寸法を小さくでき、大引き１５のコストを低減することが可能となる。
【００６７】
また、上述の実施形態におけるベース部２ａに形成された貫通孔４は、３つ以下または５つ以上でもよい。貫通孔４が３つ以下である場合、それぞれの貫通孔４のサイズを大きくすることで、通気性能を十分に確保することができる。また、ベース部２ａに貫通孔４が形成されていない場合は、通気孔１６を有さず、基礎１２と土台１３との間の通気を行わない基礎パッキンに採用してもよい。なお、貫通孔４は、ベース部２ａの下側に形成されている必要はなく、例えば、鉛直方向Ｃに沿った上側や、中央部分に形成されていてもよい。また、貫通孔は、床下側と外部とを連通させることが可能であれば、一方の開口が床下側の側面に形成されておれば、他方の開口は支持部本体２の床下側の側面以外の面に形成されていてもよい。
【００６８】
また、上述の実施形態における高さ調整部２ｂは、ベース部２ａに対して、水平方向だけでなく、水平方向と交差する方向に移動可能であってよい。
【００６９】
また、高さ調整部２ｂは配置されていなくてもよい。この場合、ベース部２ａの上面が支持面６となり、筒状部５は配置されない。但し、床下部材（床下断熱ボードや大引き１５など）のサイズに応じて、鉛直方向Ｃにおける支持面６の位置を調整するためには、高さ調整部２ｂは配置されていることが好ましい。
【００７０】
また、筒状部５は、楕円形状でなくてもよく、例えば、円柱や角柱などの形状でもよいし、中空でなくてもよい。また、筒状部５の突起２１はなくてもよい。この場合、高さ調整部２ｂの壁部２４の内面に突起２２を形成しなくてもよい。そして、壁部２４の内面を筒状部５の側面に対して長手方向Ａに沿って移動させることで、高さ調整部２ｂがベース部２ａに対して水平方向に移動可能となる。また、突起２１及び突起２２の一方が、他方の突起に対応する溝であってもよい。
【００７１】
また、本発明の床下支持部材１，１０１，２０１，３０１，４０１により支持可能な床下部材としては、基礎の床下側に接近又は接して設置される床下設置部材であればよく、例えば、大引き１５の他に、床下断熱ボード等が挙げられる。
【符号の説明】
【００７２】
１、１０１、２０１、３０１、４０１  床下支持部材
２、３０２  支持部本体
２ａ  ベース部
２ａ１  上面
２ａ２  下面
２ｂ  高さ調整部
３、３３、４３  取付部（挿入部）
４  貫通孔
５  筒状部
６、３０１ａ  支持面
７  孔
１０  建物
１１  建造物
１２  基礎
１２ａ  上面
１３  土台
１３ａ  下面
１４、３４、３１４、４１４  基礎パッキン
１５、４１５  大引き
１６、３１６  通気孔
２０ａ、２０ｂ、３０２ａ、３０２ｂ  側面
２１  突起
２２  突起
２３  天板
２４  壁部
２５  繋ぎ部
３０１ｂ２、３０１ｂ３  傾斜部
３０３，４０３  取付部
３０３ａ、３０３ｂ、４０３ｂ  括れ部
３０４ａ〜３０４ｃ  第１の挿入部（挿入部）
３０５ａ〜３０５ｃ、４０５ａ〜４０５ｃ  第２の挿入部（別の挿入部）
３１０  調整用スペーサ
４１６  凹部
【図１】
2020190182.tif 000003
【図２】
2020190182.tif 000004
【図３】
2020190182.tif 000005
【図４】
2020190182.tif 000006
【図５】
2020190182.tif 000007
【図６】
2020190182.tif 000008
【図７】
2020190182.tif 000009
【図８】
2020190182.tif 000010
【図９】
2020190182.tif 000011
【図１０】
2020190182.tif 000012
【図１１】
2020190182.tif 000013
【図１２】
2020190182.tif 000014
【図１３】
2020190182.tif 000015
【図１４】
2020190182.tif 000016
【図１５】
2020190182.tif 000017
【図１６】
2020190182.tif 000018
【図１７】
2020190182.tif 000019
【図１８】
2020190182.tif 000020
【図１９】
2020190182.tif 000021